(57)【要約】      （修正有）【課題】メモリーカードを取り外しても、メモリーカード内の情報を閲覧したりデータコピーしたりすることが可能な情報処理装置及び情報処理方法を提供する。【解決手段】メモリーカードのスロットを少なくとも一つ有する情報処理装置に、メモリーカードがスロットに装着されると、メモリーカードのデータの識別子ごとに記憶領域を生成する。コピー手段が、メモリーカードのデータを記憶領域にコピーする。同期手段が、メモリカードがスロットから取り出された後に、コピーされていた記憶領域内のデータを前記メモリーカードのデータと差分を考慮して同期する。【選択図】図１
2012079015.tif 000002
【特許請求の範囲】
【請求項１】
メモリーカードのスロットと記憶領域を少なくとも一つ有する情報処理装置において、
メモリーカードが前記スロットに装着されると、前記メモリーカードのデータをコピーし、前記メモリーカードの識別子に対応付けて前記記憶領域の一部の領域に格納するコピー手段を備えたことを特徴とする情報処理装置。
【請求項２】
第２の識別子を有する第２のメモリーカードが前記スロットに装着されると、前記コピー手段は、前記第２のメモリーカードのデータをコピーし、前記第２の識別子に対応付けて前記記憶領域の他の領域に格納することを特徴とする請求項１記載の情報処理装置。
【請求項３】
前記メモリーカードを前記スロットから取り外し、前記メモリーカードを再度前記スロットに装着すると、前記記憶領域の前記一部の領域に格納されたデータが前記メモリーカードのデータと同期する同期手段と、を備えたことを特徴とする請求項１または２記載の情報処理装置。
【請求項４】
前記記憶領域に格納される前記メモリーカードのデータは、前記メモリーカードの前記識別子及びディレクトリ構造を含むことを特徴とする請求項１乃至３記載の情報処理装置。
【請求項５】
メモリーカードがスロットに装着されると、前記メモリーカードのデータをコピーし、前記メモリーカードの識別子に対応付けて前記記憶領域の一部の領域に格納することを特徴とする情報処理方法。
【請求項６】
第２の識別子を有する第２のメモリーカードが前記スロットに装着されると、前記第２のメモリーカードのデータをコピーし、前記第２の識別子に対応付けて前記記憶領域の他の領域に格納することを特徴とする請求項５記載の情報処理方法。
【請求項７】
前記メモリーカードを前記スロットから取り外し、前記メモリーカードを再度前記スロットに装着すると、前記記憶領域の前記一部の領域に格納されたデータが前記メモリーカードのデータと同期することを特徴とする請求項５または６記載の情報処理方法。
【請求項８】
前記記憶領域に格納される前記メモリーカードのデータは、前記メモリーカードの前記識別子及びディレクトリ構造を含むことを特徴とする請求項５乃至７記載の情報処理方法。
【発明の詳細な説明】
【技術分野】
【０００１】
本発明は、情報処理装置及び情報処理方法に関する。
【背景技術】
【０００２】
ＰＣ（Ｐｅｒｓｏｎａｌ  Ｃｏｍｐｕｔｅｒ）の中には、ＳＤカードなどのメモリーカードを挿入すると、メモリーカード内のデータを読み書きすることが可能なメモリーカードスロットを有するものがある。この種のＰＣを用いてＳＤカード間でデータをコピーする場合、例えば、一方のＳＤカードのデータをＰＣに内蔵されたＨＤＤ（Ｈａｒｄ  Ｄｉｓｃ  Ｄｒｉｖｅ）にコピーした後、そのＳＤカードをＰＣから取り外し、他方のＳＤカードをＰＣに挿入し、ＨＤＤからデータをコピーしていた。
【０００３】
関連する技術としては、例えば、特許文献１，２が挙げられる。
特許文献１に記載の発明は、「デジタルカメラ」に関するものであり、具体的には「スロットに装着された記録媒体との間でデータの転送を可能としたデジタルカメラであって、前記デジタルカメラの備える所定の機能の実行を指示するための操作手段と、前記所定の機能に対する操作手順をガイドする操作ガイド手段と、内蔵メモリと、前記スロットに装着された記録媒体が記録しているデータを、前記内蔵メモリに転送する第１転送手段と、前記内蔵メモリに転送された前記データを、同一の前記スロットに装着されている記録媒体に転送する第２転送手段と、を備え、前記操作ガイド手段に従った前記操作手段による一連の操作が行われることにより、前記第１転送手段と前記第２転送手段とが順に実行される」ものである。
【０００４】
特許文献２に記載の発明は、「電子機器」に関するものであり、具体的には「データファイルを入出力するファイル入出力部と、データファイルを保存するファイル保存部と、前記ファイル入出力部から入力されたデータファイルを、ファイル種別に対応した所定の処理ルールに従って前記ファイル保存部に保存する処理部と、追加処理の指示を判別した際に、ファイル種別に対応した所定の追加処理を前記処理部に行わせる追加処理指示部と、を備えた」ものである。
【先行技術文献】
【特許文献】
【０００５】
【特許文献１】特開２００２−２０９１３２号公報
【特許文献２】特開２００５−６３１８９号公報
【発明の概要】
【発明が解決しようとする課題】
【０００６】
ところで、通常のＰＣにはＳＤカードスロットが一つしかないため、ＳＤカード間でデータをコピーする場合、一方のＳＤカードのデータをＰＣに内蔵されたＨＤＤにコピーした後、そのＳＤカードをＰＣから取り外し、他方のＳＤカードをＰＣに挿入し、ＨＤＤからデータをコピーしていたので、ユーザーの手順が多く、使い勝手が悪かった。
このため、ＰＣにＳＤカードスロットを二つ用意したり、外付けＨＤを用意したりすれば、ＳＤカード間でのデータコピーは可能であるが、いずれの方法もユーザーにコストアップを強いるため、現実的ではない。
【０００７】
そこで、本発明の目的は、メモリーカードを取り外しても、メモリーカード内の情報を閲覧したりデータコピーしたりすることが可能な情報処理装置及び情報処理方法を提供することにある。
【課題を解決するための手段】
【０００８】
上記課題を解決するため、請求項１記載の発明は、メモリーカードのスロットと記憶領域を少なくとも一つ有する情報処理装置において、メモリーカードが前記スロットに装着されると、前記メモリーカードのデータをコピーし、前記メモリーカードの識別子に対応付けて前記記憶領域の一部の領域に格納するコピー手段を備えたことを特徴とする。
【０００９】
請求項２記載の発明は、請求項１記載の発明において、第２の識別子を有する第２のメモリーカードが前記スロットに装着されると、前記コピー手段は、前記第２のメモリーカードのデータをコピーし、前記第２の識別子に対応付けて前記記憶領域の他の領域に格納することを特徴とする。
【００１０】
請求項３記載の発明は、請求項１または２記載の発明において、前記メモリーカードを前記スロットから取り外し、前記メモリーカードを再度前記スロットに装着すると、前記記憶領域の前記一部の領域に格納されたデータが前記メモリーカードのデータと同期する同期手段と、を備えたことを特徴とする。
【００１１】
請求項４記載の発明は、請求項１乃至３記載の発明において、前記記憶領域に格納される前記メモリーカードのデータは、前記メモリーカードの前記識別子及びディレクトリ構造を含むことを特徴とする。
【００１２】
請求項５記載の発明は、メモリーカードがスロットに装着されると、前記メモリーカードのデータをコピーし、前記メモリーカードの識別子に対応付けて前記記憶領域の一部の領域に格納することを特徴とする。
【００１３】
請求項６記載の発明は、請求項５記載の発明において、第２の識別子を有する第２のメモリーカードが前記スロットに装着されると、前記第２のメモリーカードのデータをコピーし、前記第２の識別子に対応付けて前記記憶領域の他の領域に格納することを特徴とする。
【００１４】
請求項７記載の発明は、請求項５または６記載の発明において、前記メモリーカードを前記スロットから取り外し、前記メモリーカードを再度前記スロットに装着すると、前記記憶領域の前記一部の領域に格納されたデータが前記メモリーカードのデータと同期することを特徴とする。
【００１５】
請求項８記載の発明は、請求項５乃至７記載の発明において、前記記憶領域に格納される前記メモリーカードのデータは、前記メモリーカードの前記識別子及びディレクトリ構造を含むことを特徴とする。
【発明の効果】
【００１６】
本発明によれば、メモリーカードを取り外しても、メモリーカード内の情報を閲覧したりデータコピーしたりすることが可能な情報処理装置及び情報処理方法の提供を実現できる。
【図面の簡単な説明】
【００１７】
【図１】本発明に係る情報処理装置の一実施の形態を示す概念図である。
【図２】本発明に係る情報処理装置の他の実施の形態を示す概念図である。
【図３】本発明に係る情報処理方法の一実施の形態を示すフローチャートである。
【図４】本発明に係る情報処理方法の他の実施の形態を示すフローチャートである。
【図５】（ａ）は、比較例であり、（ｂ）は、本発明に係る情報処理装置の他の実施の形態を示す概念図である。
【図６】（ａ）は、比較例であり、（ｂ）は、本発明に係る情報処理装置の他の実施の形態を示す概念図である。
【発明を実施するための形態】
【００１８】
本発明の実施の形態について、図面を参照して説明する。
＜実施形態１＞
図１は、本発明に係る情報処理装置の一実施の形態を示す概念図である。
同図に示すパソコン１０は、ＨＤＤ１１及びマイコンピュータ１２のみ記載されているが、実際には例えば、パソコン１０を統括制御するＣＰＵ（Ｃｅｎｔｒａｌ  Ｐｒｏｃｅｓｓｉｎｇ  Ｕｎｉｔ）、制御プログラムを記憶したＲＯＭ（Ｒｅａｄ  Ｏｎｌｙ  Ｍｅｍｏｒｙ）、一時的にデータを記憶するメモリとしてのＲＡＭ（Ｒａｎｄｏｍ  Ａｃｅｓｓ  Ｍｅｍｏｒｙ）、ＵＳＢコネクタ等のＩ／Ｏポート、無線ＬＡＮ装置、キーボードやスイッチ等の操作部、液晶ディスプレイ等のモニタ装置、及びこれらの部材を接続するバスライン等を有する。
【００１９】
パソコン１０の図示しないスロットにメモリーカードとしてのＳＤカード１を装着すると（ステップ１３ａ）、パソコン１０のマイコンピュータ１２は、装着されたＳＤカード１（ステップ１３ａ）のディレクトリ構造、及び識別子をコピーし、ＳＤカード識別子に（デバイスＩＤに）対応付けて記憶領域１４ｂを生成する。パソコン１０は同時にＨＤＤ１１にＳＤカード１のディレクトリ構造、及びデバイスＩＤ等を記憶する（ステップ１３ｃ）。
【００２０】
パソコン１０からＳＤカード１を取り外すと（ステップ１３ｄ）、パソコン１０のマイコンピュータ１２には記憶領域１４ｂが保持されたままである。
【００２１】
パソコン１０において、ＳＤカード１に関連するデータが更新されると、記憶領域１４ｂのデータも更新される。
【００２２】
パソコン１０に再度、ＳＤカード１が装着されると（ステップ１３ｅ）、マイコンピュータ１２のＳＤカード（ステップ１４ｃ）と記憶領域１４ｂとが同期して同一のデータ内容となる。
すなわち、ＳＤカード１をパソコン１０に装着すると、パソコン１０のマイコンピュータ１２が記憶領域を作成し、ＳＤカード１が取り外された後でＳＤカード１に関連するデータが更新されても記憶領域のデータを更新し、再度ＳＤカード１がパソコン１０に装着されると、記憶領域とＳＤカード１とが同期するので、一般に行われているような、「ＳＤカード間でデータをコピーする場合、一方のＳＤカードのデータをＰＣに内蔵されたＨＤＤにコピーした後、そのＳＤカードをＰＣから取り外し、他方のＳＤカードをＰＣに挿入し、ＨＤＤからデータをコピーする」手間がなくなり、利便性が向上する。
【００２３】
＜実施形態２＞
図２は、本発明に係る情報処理装置の他の実施の形態を示す概念図である。
図２に示した実施の形態と、図１に示した実施の形態との相違点は、記憶領域を構築する場所がパソコン１０のＨＤＤ１１だけでなく、パソコン１０のメモリ１５、及びオンラインストレージ１６も可能な点である。
すなわち、ＳＤカード１をパソコン１０に装着すると（ステップ１３ａ）、自動的にＳＤカード１内のディレクトリ構造、及びデバイスＩＤを含むデータをパソコン１０のＨＤＤ１１等にコピーし（ステップ１３ｂ）、記憶領域を作成する（ステップ１４ａ）。
【００２４】
他のＳＤカード２をパソコン１０に装着すると（ステップ１３ｅ）、パソコン１０のマイコンピュータ１２は、ディレクトリ構造、及びデバイスＩＤ（２）を含む記憶領域を作成し（ステップ１４ｂ）、同時にパソコン１０のメモリ１５に他のＳＤカード２のデータがコピーされる（ステップ１３ｄ）。
【００２５】
さらに他のＳＤカード３をパソコン１０に装着すると（ステップ１３ｅ）、パソコン１０のマイコンピュータ１２は、ディレクトリ構造、及びデバイスＩＤを含む記憶領域１４ｃを生成すると同時に、ネットワークを介してオンラインストレージ１６にさらに他のＳＤカード３のデータをコピーする（ステップ１３ｆ）。
【００２６】
このような構成においても、ＳＤカード１は記憶領域１４ａと同期し、他のＳＤカード２は記憶領域１４ｂと同期し、さらに他のＳＤカード３は記憶領域１４ｃと同期する。これにより、各ＳＤカード１〜３は、パソコン１０に再度装着する度に最新のデータがコピーされる。
【００２７】
＜実施形態３＞
図３は、本発明に係る情報処理方法の一実施の形態を示すフローチャートである。
動作の主体は、パソコン１０の図示しないＣＰＵである。
ＳＤカードがパソコンに挿入されると（ステップＳ１）、ＣＰＵは、ＳＤカードのデバイスＩＤを確認する（ステップＳ２）。
ＣＰＵは、記憶領域のデバイスＩＤに同じものがないと判定した場合、記憶領域の作成場所（ＨＤＤ１１、メモリ１５、オンラインストレージ１６）の指定を行いステップＳ４へ進む（ステップＳ３）。
ＣＰＵは、作成場所の容量を確認し（ステップＳ４）、容量が足りないと判定した場合はステップＳ３に戻り、容量が足りると判定した場合は、指定した場所に記憶領域を作成してステップＳ５へ進む（ＳＤカードのデバイスＩＤ、ＳＤカード内部のデータをコピー：ステップＳ５）。
ＣＰＵは、ＳＤカードをパソコン１０から利用すると（ステップＳ６）、ＳＤカードへのデータ追加確認を行い（確認する時間間隔は設定可能：ステップＳ７）、データ追加がないと判定した場合はステップＳ６に戻り、データ追加があると判定した場合はバックグラウンドで記憶領域に追加されたデータをコピーし（ステップＳ８）、ステップＳ６に戻る。
【００２８】
ＣＰＵは、ステップＳ２で記憶領域のデバイスＩＤに同じものがあると判断した場合、記憶領域内のデータとＳＤカード内のデータを、差分を考慮して同期してステップＳ６に進む（ステップＳ９）。
【００２９】
記憶領域の作成がキャンセルされると、ＣＰＵはＳＤカードをパソコン１０から直接利用する（ステップＳ１０）。
【００３０】
図４は、本発明に係る情報処理方法の他の実施の形態を示すフローチャートである。
ＣＰＵは、ユーザーがＳＤカードをパソコン１０から取り外したことを検知すると（ステップＳ２１）、ＳＤカードのデバイスＩＤを確認する（ステップＳ２２）。
ＣＰＵは、記憶領域のデバイスＩＤに同じものがあることを確認すると、記憶領域をパソコンから利用（パソコンのマイコンピュータからは、ＳＤカードが刺さったままに見える：ステップＳ２３）。
ＣＰＵは、記憶領域のデバイスＩＤに同じものがないことを確認すると、パソコンのマイコンピュータからはＳＤカードが見えなくなる（ステップＳ２４）。
【００３１】
＜実施形態４＞
図５（ａ）は、比較例であり、図５（ｂ）は、本発明に係る情報処理装置の他の実施の形態を示す概念図である。
（比較例１）
図５（ａ）において、パソコン１０にデバイスＩＤ（１）のＳＤカード１を装着すると（ステップ１３ａ）、パソコン１０のマイコンピュータ１２は、デバイスＩＤ（１）のＳＤカード１を表示する（ステップ１３ｂ）。
ＳＤカード１に加えてＳＤカード２を利用することはできない（ステップ２０ａ）。
【００３２】
通常、パソコンにはＳＤカードのスロットが１個しかないため、パソコンでＳＤカードを利用する時には、１個のＳＤカードしか参照できない。この場合、ＳＤカード間でのデータコピーや複数のＳＤカードをパソコンで同時に利用したい場合不便である（代参手段としては、外付けＳＤカードスロットをパソコンに取り付ける手段があるが、ユーザーに費用負担が発生する。）。
【００３３】
＜実施形態４＞
図５（ｂ）において、パソコン１０にデバイスＩＤ（１）のＳＤカード１を装着すると（ステップ１３ａ）、パソコン１０のマイコンピュータ１２は、デバイスＩＤ（１）のＳＤカード１のディレクトリ構造、及びデバイスＩＤを含むデータをコピーし（ステップ１３ｂ）、ＨＤＤ１１にＳＤカード１のデータ（ステップ１３ｃ）を記憶する。
デバイスＩＤ（１）のＳＤカード１をスロットから外し、代わりにデバイスＩＤ（２）のＳＤカード２をスロットに装着すると、パソコン１０のマイコンピュータ１２は、ＳＤカード２のディレクトリ構造、及びデバイスＩＤをコピーし、記憶領域を作成する（ステップ２１ａ）。
マイコンピュータ１２は、ＨＤＤ１１にＳＤカード２のデータを記憶する（ステップ２０ｂ）。
【００３４】
本実施形態によれば、記憶領域によって、ＳＤカードがパソコンに刺さっていなくてもＳＤカード内のデータを扱える。従って、ＳＤカード間のデータコピーや、複数のＳＤカードをパソコンで同時に利用したい場合に便利である。
【００３５】
＜実施形態５＞
図６（ａ）は、比較例であり、図６（ｂ）は、本発明に係る情報処理装置の他の実施の形態を示す概念図である。
（比較例２）
図６（ａ）において、パソコン１０でＴＶ（テレビジョン）放送を受信し、ＴＶ再生・録画用のソフトウェア（以下、ソフトと呼ぶ。：Ｓｍａｒｔ  Ｖｉｓｉｏｎ「登録商標」）１７で録画する場合、ＨＤＤ１１とＳＤカード（ステップ１２ａ）とに同時に番組は記録される。
この場合、パソコン１０の外部の情報処理装置（例えば携帯電話）で利用するには、パソコン１０に予めＳＤカードを装着しておき、ＴＶ再生・録画ソフト１７がＨＤＤ１１及びＳＤカード（ステップ１２ａ）に同時に録画を実施しているので、ＳＤカードをパソコン１０から外し、外部の情報処理装置に装着してビデオ機能を利用している間はＳＤカードへの録画は利用できず不便である。
【００３６】
（実施形態５）
図６（ｂ）において、パソコン１０にＳＤカード（ステップ１２ａ）を装着すると、パソコン１０にＳＤカードのディレクトリ構造、及びデバイスＩＤをコピーし、記憶領域を作成するので（ステップ１３ａ）、ＳＤカードをパソコン１０から外してもＴＶ再生・録画ソフト１７は、ＨＤＤ１１と記憶領域に同時に録画し、再度ＳＤカード（ステップ１２ａ）をパソコン１０に装着すると、記憶領域（ステップ１３ａ）とＳＤカード（ステップ１２ａ）とが同期するので、外部の情報処理装置に同期後のＳＤカードを装着することでＴＶ番組を再生することができる。
【００３７】
すなわち、本実施形態によれば、ＳＤカードをパソコンから取り外しておいても、パソコンからはＳＤカードが装着されているように見えるので、ＨＤＤとＳＤカードへのＴＶ番組の同時録画が可能（実際にはＳＤカードではなく記憶領域に録画する。）。ＳＤカードをパソコン１０に装着すると、記憶領域内の録画データと自動的に同期するので、外部の情報処理装置に、このＳＤカードを装着すると再生が可能となる。
【００３８】
＜プログラム＞
以上で説明した本発明にかかる情報処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００３９】
例えば、
メモリーカードのスロットを少なくとも一つ有する情報処理装置のコンピュータに、
生成手段が、メモリーカードがスロットに装着されると、メモリーカードのデータをコピーし、識別子ごとに記憶領域を生成する手順、
コピー手段が、メモリーカードをスロットに装着するとメモリーカードのデータを記憶領域にコピーをする手順、
同期手段が、メモリーカードがスロットから取り外された後に、前記メモリーカードがスロットに装着されると、コピーされていた記憶領域内のデータが前記メモリーカードのデータと差分を考慮して同期する手順、
を実行させるプログラムが挙げられる。
【００４０】
これにより、プログラムが実行可能なコンピュータ環境さえあれば、どこにおいても本発明にかかる情報処理装置を実現することができる。
このようなプログラムは、コンピュータに読み取り可能な記憶媒体に記憶されていてもよい。
【００４１】
＜記憶媒体＞
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００４２】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４３】
１０    パソコン
１１    ＨＤＤ
１２    マイコンピュータ
１３ａ〜１３ｆ    ＳＤカード
１４ａ〜１４ｃ    記憶領域
１５    メモリ
１６    オンラインストレージ
１７    ＴＶ再生・録画ソフト
【図１】
2012079015.tif 000003
【図２】
2012079015.tif 000004
【図３】
2012079015.tif 000005
【図４】
2012079015.tif 000006
【図５】
2012079015.tif 000007
【図６】
2012079015.tif 000008